(57)【要約】【課題】液晶表示パネル１０の幅方向一側縁に沿うように配置された複数の一側当接部５１と、幅方向他側縁に沿うように配置された複数の他側当接部６１とを、それぞれパネル１０の一側縁および他側縁に当接するように相対移動させてパネル１０の幅方向におけるセンタリングを行うようにしたセンタリング装置において、前記他側縁における封止樹脂部１１の位置や封止樹脂部１１の有無に拘わらず、適正なセンタリングが行えるようにする。【解決手段】各一側当接部５１をパネル１０の一側縁に当接する方向に対し後退移動不能に設ける一方、各他側当接部６１をパネル１０の他側縁に当接する方向に対し後退移動可能に設け、各他側当接部６１を前記当接方向に向かって押圧しつつ、パネル１０を介して伝達される複数の一側当接部５１の反力による該各他側当接部６１の後退移動を許容する他側押圧手段７４を備える。【選択図】図１
2005128321.tif 000002
【特許請求の範囲】
【請求項１】
略水平に配置された略矩形状の液晶表示パネルの幅方向一側方に該液晶表示パネルの一側縁に沿うように配置された複数の一側当接部と、前記液晶表示パネルの幅方向他側方に該液晶表示パネルの他側縁に沿うように配置された複数の他側当接部と、前記複数の一側当接部および前記複数の他側当接部を、それぞれ、前記液晶表示パネルの一側縁および他側縁に当接して該液晶表示パネルに対する幅方向のセンタリングが行われるように相対移動させる移動手段とを備えた液晶表示パネルのセンタリング装置であって、
前記各一側当接部は、前記液晶表示パネルの一側縁に当接する方向に対し後退移動不能に設けられ、
前記各他側当接部は、前記液晶表示パネルの他側縁に当接する方向に対し後退移動可能に設けられ、
前記各他側当接部を前記液晶表示パネルの他側縁に当接する方向に向かって押圧しつつ、該液晶表示パネルを介して伝達される前記複数の一側当接部の反力による該他側当接部の後退移動を許容する他側押圧手段を備えていることを特徴とする液晶表示パネルのセンタリング装置。
【請求項２】
略水平に配置された略矩形状の液晶表示パネルの幅方向一側方に該液晶表示パネルの一側縁に沿うように配置された複数の一側当接部と、前記液晶表示パネルの幅方向他側方に該液晶表示パネルの他側縁に沿うように配置された複数の他側当接部と、前記複数の一側当接部および前記複数の他側当接部を、それぞれ、前記液晶表示パネルの一側縁および他側縁に当接して該液晶表示パネルに対する幅方向のセンタリングが行われるように相対移動させる移動手段とを備えた液晶表示パネルのセンタリング装置であって、
前記各一側当接部および前記各他側当接部は、それぞれ、前記液晶表示パネルの一側縁および他側縁に当接する方向に対し後退移動可能に設けられ、
前記各一側当接部を後退移動不能に固定する一側固定手段と、
前記各他側当接部を後退移動不能に固定する他側固定手段と、
前記各一側当接部を前記液晶表示パネルの一側縁に当接する方向に向かって押圧しつつ、該液晶表示パネルを介して伝達される前記複数の他側側当接部の後退移動不能時の反力による該一側当接部の後退移動を許容する一側押圧手段と、
前記各他側当接部を前記液晶表示パネルの他側縁に当接する方向に向かって押圧しつつ、該液晶表示パネルを介して伝達される前記複数の一側当接部の後退移動不能時の反力による該他側当接部の後退移動を許容する他側押圧手段とを備えていることを特徴とする液晶表示パネルのセンタリング装置。
【請求項３】
請求項２に記載の液晶表示パネルのセンタリング装置において、
液晶表示パネルの両側縁のうち、封止樹脂部の位置していない側縁を判別する判別手段と、
前記判別手段の判別結果に基づき、前記封止樹脂部の位置していない側縁に対応する側の各当接部が後退移動不能に固定されるように一側固定手段および他側固定手段の作動を制御する制御手段とを備えていることを特徴とする液晶表示パネルのセンタリング装置。
【請求項４】
請求項１，２，３のうちの何れか１項に記載の液晶表示パネルのセンタリング装置において、
液晶表示パネルを複数の一側当接部と複数の他側当接部との間を通過するように移送する移送手段を備え、
前記各当接部は、鉛直軸心回りに回転可能なローラとされていることを特徴とする液晶表示パネルのセンタリング装置。
【発明の詳細な説明】
【技術分野】
【０００１】
本発明は、液晶表示パネルのセンタリング装置に関し、特に液晶表示パネルの側縁における封止樹脂部の位置および封止樹脂部の有無に拘わらずセンタリングを適正に行う対策に関する。
【背景技術】
【０００２】
一般に、２枚の透明基板間に液晶材料が封入されてなる液晶表示パネルは、パネル面を水平にした姿勢で次工程に移送される途中で、センタリング装置により、パネル幅方向中央が所定のラインに重なるようにセンタリングされる。
【０００３】
例えば、液晶表示パネルの移送路途中に設けられた従来のセンタリング装置の場合には、図７の平面図に模式的に示すように、移送路の左右両側（同図の左右両側）に、各々、鉛直軸心回りに回転可能な複数のローラ１５１，１６１（図示する例では３つ）を有する２つの当接機構１５０，１６０が配置されており、それら左側のローラ１５１および右側のローラ１６１をそれぞれ液晶表示パネル１１０の左側縁および右側縁に当接する方向に移動させることで、液晶表示パネル１１０をセンタリングするようになっている。
【０００４】
その際に、各ローラ１５１，１６１が当接方向前進端に達したときの両側ローラ１５１，１６１間の間隔寸法は、例えば、液晶材料を基板の貼合せ時に滴下するようにした滴下タイプの液晶表示パネル１１０の場合には、図７（ａ）に示すように、その液晶表示パネル１１０のパネル幅寸法に設定され、一方、貼り合わされた基板間に液晶材料を真空注入して注入口を樹脂で封止するようにした真空タイプの液晶表示パネル１１０の場合には、同図（ｂ）に示すように、封止樹脂部１１１が側縁から側方に突出している分だけパネル幅寸法よりも広く設定される。
【０００５】
尚、上記従来のセンタリング装置の具体例としては、特許公報１に記載されたものが挙げられる。このものは、液晶表示パネル自体ではく、液晶表示パネルを収容した金属ケースなどをセンタリングするものであるが、ローラコンベヤ上の前記金属ケースを両側１対の横押し板で挟み込むようになされている。
【特許公報１】
【０００６】
特開２００３−１８２８１１号公報（第４頁，図３）
【発明の開示】
【発明が解決しようとする課題】
【０００７】
しかしながら、上記従来のセンタリング装置では、同一パネル幅寸法であっても、封止樹脂部１１１を有する液晶表示パネル１１０と、そのような封止樹脂部１１１を有していない液晶表示パネル１１０とが混在する場合には、両側ローラ１５１，１６１間の間隔寸法を変更する必要があることから、容易に対応することができないという難点がある。
【０００８】
また、封止樹脂部１１１を有する同一パネル幅寸法の液晶表示パネル１１０であっても、図７（ｃ）に示すように、パネルサイズの相違により封止樹脂部１１１の位置の異なる液晶表示パネル１１０が混在する場合には、一部のローラ１６１が封止樹脂部１１１に当接したときに、他の封止樹脂部１１１および液晶表示パネル１１０の右側縁の何れにも当接しないローラ１６１が存在することになり、このために、左側当接機構１５０では、一部のローラ１５１しか液晶表示パネル１１０の左側縁に当接せず、その結果、所定のラインに対して液晶表示パネルの幅方向中央のラインが傾くという「θずれ」が生じることになる。
【０００９】
本発明は、斯かる諸点に鑑みてなされたものであり、その主な目的は、パネル面が略水平になるように配置された液晶表示パネルの幅方向両側縁にそれぞれローラなどの当接部を当接させて該液晶表示パネルを幅方向においてセンタリングするようにしたセンタリング装置において、側縁における封止樹脂部の位置や封止樹脂部の有無に拘わらず、適正なセンタリングが行えるようにすることにある。
【課題を解決するための手段】
【００１０】
上記の目的を達成すべく、本発明では、両側の当接機構のうち、封止樹脂部の位置する側縁に対応する側の各ローラを、当接方向に対し後退移動可能に設ける一方、それらローラを押圧手段により当接方向に向かって押圧し、封止樹脂部に対応するローラが該封止樹脂部に当接したときに、その封止樹脂部の分だけローラを後退移動させることで、液晶表示パネルの側縁から側方に突出している封止樹脂部の突出寸法を吸収し、これにより、封止樹脂部に対応しない他のローラが前記側縁に当接できるようにした。
【００１１】
具体的には、本発明では、略水平に配置された略矩形状の液晶表示パネルの幅方向一側方に該液晶表示パネルの一側縁に沿うように配置された複数の一側当接部と、前記液晶表示パネルの幅方向他側方に該液晶表示パネルの他側縁に沿うように配置された複数の他側当接部と、これら一側当接部および他側当接部をそれぞれ前記液晶表示パネルの一側縁および他側縁に当接して該液晶表示パネルに対する幅方向のセンタリングが行われるように相対移動させる移動手段とを備えたセンタリング装置を前提としている。
【００１２】
そして、前記各一側当接部を、前記液晶表示パネルの一側縁に当接する方向に対し後退移動不能に設け、一方、前記各他側当接部を、前記液晶表示パネルの他側縁に当接する方向に対し後退移動可能に設ける。その上で、前記各他側当接部を前記液晶表示パネルの他側縁に当接する方向に向かって押圧しつつ、該液晶表示パネルを介して伝達される前記複数の一側当接部の反力による該他側当接部の後退移動を許容する他側押圧手段を備えるようにする。
【００１３】
尚、上記の構成において、各一側当接部についても、他側当接部の場合と同様に、当接方向に対し後退移動可能に設けるとともに、それら各一側当接部を当接方向に押圧する一側押圧手段を備えるようにしてもよい。但し、この場合には、各一側当接部を後退移動不能に固定する一側固定手段と、各他側当接部を後退移動不能に固定する他側固定手段とを併せて設ける必要がある。
【００１４】
さらに、上記の場合には、液晶表示パネルの両側縁のうち、封止樹脂部の位置していない側縁を判別する判別手段と、この判別手段の判別結果に基づいて、前記封止樹脂部の位置していない側縁に対応する側の当接部が後退移動不能に固定されるように一側固定手段および他側固定手段を制御する制御手段とを備えるようにすることができる。
【００１５】
また、液晶表示パネルを複数の一側当接部と複数の他側当接部との間を通過するように移送しつつセンタリングする場合には、各当接部を、鉛直軸心回りに回転可能なローラとすることが好ましい。
【発明の効果】
【００１６】
本発明によれば、複数の一側当接部と複数の他側当接部とをそれぞれ液晶表示パネルの一側縁および他側縁に当接させてセンタリングするようにした液晶表示パネルのセンタリング装置において、封止樹脂部に対応する他側当接部が該封止樹脂部に当接したときに、その他側当接部が封止樹脂部の分だけ後退移動することで、封止樹脂部に対応しない残りの他側当接部を液晶表示パネルの他側縁に当接させることができるので、他側縁における封止樹脂部の位置に拘わらず、さらには、他側縁における封止樹脂部の有無に拘わらず、全ての一側当接部を液晶表示パネルの一側縁に当接させることができ、よって、封止樹脂部の位置が異なっていたり、封止樹脂部を有していなかったりする複数種類の液晶表示パネルに対し、適正にセンタリングすることができる。
【発明を実施するための最良の形態】
【００１７】
以下、本発明の実施形態を、図面に基づいて説明する。
【００１８】
図２の平面図と、図３のIII−III線断面図とは、本発明の実施形態に係るセンタリング装置の全体構成を示しており、このセンタリング装置は、液晶表示パネルの外観を検査する外観検査装置に組み込まれて用いられる。
【００１９】
先ず、外観検査装置について説明すると、この外観検査装置は、矩形状の液晶表示パネル１０を移送する移送機構２０と、この移送機構２０により移送される液晶表示パネル１０を撮像する撮像機構３０とを備えている。移送機構２０では、液晶表示パネル１０の移送路の両側（図２および図３の左右両側）に移送方向（図２の上方向）に直交する水平方向（図２および図３の左右方向）に延びるように配置された複数本の回転軸部材２１が移送方向に略等間隔に並ぶように設けられている。各回転軸部材２１は、基端側において駆動部２２に駆動連結されている一方、先端側近傍において支持部材２３により水平軸心回りに回転可能に支持されており、その支持部材２３よりも基端側の部分と先端側の部分とには、液晶表示パネル１０を下方から支承するように、それぞれ、円板状の回転部材２４が回転一体に連結されている。そして、駆動部２２の作動により各回転部材２４が一定の回転速度でもって所定の方向に同期して回転駆動されることで、液晶表示パネル１０を所定の方向に移送するようになっている。
【００２０】
撮像機構３０は、移送路の両側にそれぞれ設置されており、各撮像機構３０は、レンズを下向きにして配置された撮像カメラ３１と、この撮像カメラ３１を移送方向に直交する水平方向に往復移動させる移動部３２とを備えている。そして、移送機構２０により移送される液晶表示パネル１０に対し、各撮像機構３０がそれぞれ撮像カメラ３１を往復移動させることで、液晶表示パネル１０の全面を撮像するようになっている。
【００２１】
センタリング装置４０は、移送方向前側に向かって移送路の左側方（図２および図３の左側方）に配置された左側当接機構５０と、移送路の右側方（同各図の右側方）に配置された右側当接機構６０とを備えている。各当接機構５０，６０は、複数（図示する例では、３つ）の当接部としてのローラ５１，６１を有する。これらローラ５１，６１は、移送方向に延びるように配置された支持部材５２，６２の下面に移送方向に延びる直線上に並ぶように配置されていて、図４および図５に示すように、該支持部材５２，６２に取り付けられた鉛直方向に延びる支持軸５３，６３にベアリング５４，６４を介して鉛直軸心回りに回転可能に支持されている。
【００２２】
また、各当接機構５０，６０は、支持部材５２，６２を移送方向に直交する水平方向に互いに同期して往復移動させる移動手段としての移動機構部５５，６５を有する。この移動機構部５５，６５は、支持部材５２，６２がボルト５６，６６により固定された可動部５７，６７と、両当接機構５０，６０間を通過する液晶表示パネル１０に対し、該液晶表示パネル１０の対応する側縁にローラ５１，６１が当接する方向に向かって前後往復移動させる駆動部５８，６８とからなっている。その際に、各移動機構部５５，６５は、左側当接機構５０および右側当接機構６０の各ローラ５１，６１が当接方向前進端に達したときに、両ローラ５１，６１間の間隔寸法がセンタリング対象の液晶表示パネル１０のパネル幅寸法（図２および図３の左右方向幅寸法）になり、かつ液晶表示パネル１０の幅方向におけるセンタラインが、移送方向に直交する水平方向の所定位置に設定された移送方向に延びる基準ラインに重なるようになされている。
【００２３】
そして、本実施形態では、左側当接機構５０の各ローラ５１は、当接方向（図２〜図４の右方向）に対し後退移動不能に支持部材５２に固定されており、一方、右側当接機構６０の各ローラ６１は、当接方向（図２，図３，図５の左方向）に対し、後退移動可能に支持部材５２に設けられている。
【００２４】
具体的には、右側当接機構６０の支持部材６２には、図５に示したように、上下方向に貫通しかつ該支持部材６２の往復移動方向に延びる長孔７０が各ローラ６１毎に設けられており、この長孔７０には、該長孔７０により当接方向に対し後退移動可能に案内支持されかつ鉛直軸心回りの回転を規制されるように設けられたガイド部材７１が係合しており、このガイド部材７１にローラ６１の支持軸６３が一体に連結されていることで、右側当接機構６０のローラ６１は、その当接方向に対する後退移動が可能となっている。
【００２５】
また、ガイド部材７１の上面には、可動壁７２が該ガイド部材７１に移動一体に設けられている一方、支持部材６２上における可動壁７２の右方向（図５の右方向）には、固定壁７３が該可動壁７２に対向するように設けられており、これら固定壁７３と可動壁７２との間には、押圧手段としての圧縮コイルばね７４が介装されている。そして、この圧縮コイルばね７４のばね力により、右側当接機構６０のローラ６１は、当接方向に向かって常時押圧されている。尚、圧縮コイルばね７４のばね力は、液晶表示パネル１０を介して伝達される左側当接機構５０のローラ５１の反力によるローラ６１の後退移動を許容するものとされている。詳しくは、左側当接機構５０のローラ５１に当接されていない状態にある液晶表示パネル１０に対しては、ローラ６１を後退移動不能に押圧する一方、左側当接機構５０のローラ５１に当接された状態にある液晶表示パネル１０に対しては、液晶表示パネル１０に過大な応力が発生しないようにローラ６１の後退移動を許容する範囲のものとされている。
【００２６】
ここで、上記のように構成されたセンタリング装置４０の作用を、図１の平面図に基づいて説明する。尚、液晶表示パネル１０としては、封止樹脂部１１を有していない種類のものと、右側縁に２つないし３つの封止樹脂部１１を有している種類のものとが混在して移送されるものとし、封止樹脂部１１が左側縁に存在する液晶表示パネル１０は移送されてこないものとする。但し、この説明に関しては、液晶表示パネル１０のパネル幅寸法は、種類に拘わらず一定であるとする。
【００２７】
先ず、封止樹脂部１１を有していない液晶表示パネル１０が移送されてきた場合について説明すると、この場合には、図１（ａ）に模式的に示すように、右側当接機構６０の全てのローラ６１が、液晶表示パネル１０の右側縁に当接する。このとき、右側当接機構６０の各ローラ６１の後退移動は生じない。したがって、左側当接機構５０では、全てのローラ５１が液晶表示パネル１０の左側縁に当接する。よって、液晶表示パネル１０のセンタリングは、適正に行われる。
【００２８】
次に、図１（ｂ）に模式的に示すように、液晶表示パネル１０が右側縁に３つの封止樹脂部１１を有していて、それら封止樹脂部１１にそれぞれ右側当接機構６０のローラ６１が当接する場合について説明する。この場合、左側当接機構５０のローラ５１が液晶表示パネル１０の左側縁に当接する以前に、右側当接機構６０のローラ６１が当接したときには、それら右側当接機構６０のローラ６１は後退移動することなく液晶表示パネル１０を左方に向かって押圧し、このことで、液晶表示パネル１０の左側縁に左側当接機構５０のローラ５１を当接させる。一方、左側当接機構５０のローラ５１が液晶表示パネル１０の左側縁に当接した後に、右側当接機構６０のローラ６１が当接したときには、それら右側当接機構６０の各ローラ６１は、圧縮コイルばね７４のばね力に抗して、当接した封止樹脂部１１が右側縁から突出している分だけ後退移動することになる。よって、この場合にも、液晶表示パネル１０のセンタリングは適正に行われる。
【００２９】
図１（ｃ）に模式的に示すのは、液晶表示パネル１０が右側縁に２つの封止樹脂部１１を有していて、右側当接機構６０の３つのローラ６１のうち、移送方向前後両端（同図の上下両端）に位置する２つのローラ６１がそれぞれ２つの封止樹脂部１１に当接する一方、移送方向中間（同図の上下方向中間）に位置するローラ６１だけが封止樹脂部１１に当接しない場合を示している。この場合には、封止樹脂部１１に当接する２つのローラ６１がその封止樹脂部１１の突出寸法の分だけ後退移動する一方、残りの１つのローラ６１は後退移動せず、したがって、左側当接機構５０のローラ５１は全て液晶表示パネル１０の左側縁に当接する。よって、このような場合でも、液晶表示パネル１０のセンタリングは、適正に行われることとなる。
【００３０】
したがって、本実施形態によれば、水平に配置された矩形状の液晶表示パネル１０の左側方に該液晶表示パネル１０の左側縁に沿うように配置された左側当接機構５０の３つのローラ５１と、液晶表示パネル１０の右側方に該液晶表示パネル１０の右側縁に沿うように配置された右側当接機構６０の３つのローラ６１と、それら左側当接機構５０のローラ５１および右側当接機構６０のローラ６１をそれぞれ液晶表示パネル１０の左側縁および右側縁に当接する方向に移動させる移動機構部５５，６５とを備えたセンタリング装置４０において、右側当接機構６０の３つのローラ６１のうち、封止樹脂部１１に対応するローラ６１が該封止樹脂部１１に当接したときに、そのローラ６１が圧縮コイルばね７４のばね力に抗して封止樹脂部１１の突出寸法の分だけ後退移動することで、封止樹脂部１１に対応しない他のローラ６１を液晶表示パネル１０の右側縁に当接させることができるので、封止樹脂部１１が右側縁のどの位置にあるかに拘わらず、さらには、右側縁部における封止樹脂部１１の存在の有無に拘わらず、左側当接機構５０の全てのローラ５１を液晶表示パネル１０の左側縁に当接させることができ、よって、右側縁における封止樹脂部１１の位置の相異なる複数サイズの液晶表示パネル１０および封止樹脂部１１の存在しない種類の液晶表示パネル１０に対し、適正にセンタリングを行うことができる。
【００３１】
尚、上記の実施形態では、左右両側の当接機構５０，６０のうち、右側当接機構６０のローラ６１のみを後退移動可能に設けるようにしているが、両方の当接機構５０，６０のローラ５１，６１を共に後退移動可能に設けるようにしてもよい。但し、その場合には、各当接機構５０，６０毎にローラ５１，６１を後退移動不能に固定する手段（一側固定手段および他側固定手段）を設ける必要がある。この場合の各固定手段の操作例を簡単に説明すると、封止樹脂部１１を有する液晶表示パネル１０に対しては、その封止樹脂部１１の位置していない側縁に対応する側の当接機構のローラを後退移動不能に固定するようにしておく。また、封止樹脂部１１を有していない液晶表示パネル１０に対しては、何れか一方の当接機構５０（又は６０）のローラ５１（又は６１）を後退移動不能に固定するか、両方の当接機構５０，６０のローラ５１，６１を後退移動不能に固定するようにすればよい。
【００３２】
さらに、上記のように両方の当接機構５０，６０のローラ５１，６１をそれぞれ後退移動可能に設ける場合には、図６の平面図に模式的に示す変形例のように、各ローラ５１，６１に対し、液晶表示パネル１０の対応する側縁に当接する方向に向かって押圧する低いばね力Ｌと、後退移動不能に固定する高いばね力Ｈとに切換可能なエアシリンダ８０を各ローラ５１，６１毎に連設し、液晶表示パネル１０にその種類毎にコードとして設けられている情報を判別手段としてのセンサ８１で読み取り、その情報に応じて両側の当接機構５０，６０のローラ５１，６１に対するエアシリンダ８０のエア圧Ｌ，Ｈを切り換える制御手段としてのコントローラ８２を設けることで、封止樹脂部１１が存在しないもの，封止樹脂部１１が左側縁に位置するもの，封止樹脂部１１が右側縁に位置するものの３種類の液晶表示パネル１０が混在している場合でも適正に対応できるようにすることができる。つまり、この場合には、エアシリンダ８０は、ローラ５１，６１を当接方向に向かって後退移動可能に押圧する押圧手段と、ローラ５１，６１を後退移動不能に固定する固定手段とを兼ねることになる。
【００３３】
また、上記の実施形態では、各当接機構５０，６０において、当接部にローラ５１，６１を用いるようにしているが、例えば、液晶表示パネル１０のセンタリングを停止状態で行うような場合には、例えばピンなど、ローラ５１，６１以外の当接部を用いるようにしてもよい。
【００３４】
さらに、上記の実施形態では、液晶表示パネル１０の外観検査装置に組み込まれたセンタリング装置４０の場合について説明しているが、本発明に係るセンタリング装置は、液晶表示パネルの製造に関係する各種の装置と組み合わせて使用することができる。
【図面の簡単な説明】
【００３５】
【図１】本発明の実施形態に係るセンタリング装置の作用を封止樹脂部を有していない液晶表示パネルの場合（ａ）と３つの封止樹脂部を有する液晶表示パネルの場合（ｂ）と２つの封止樹脂部を有する液晶表示パネルの場合（ｃ）との間で対比して模式的に示す平面図である。
【図２】センタリング装置が組み込まれた外観検査装置の全体構成を示す平面図である。
【図３】図２のIII−III線断面図である。
【図４】センタリング装置の左側当接機構の要部を示す部分断面図である。
【図５】センタリング装置の右側当接機構の要部を示す部分断面図である。
【図６】実施形態の変形例に係るセンタリング装置の作用を封止樹脂部を有していない液晶表示パネルの場合（ａ）と３つの封止樹脂部を有する液晶表示パネルの場合（ｂ）と２つの封止樹脂部を有する液晶表示パネルの場合（ｃ）との間で対比して模式的に示す図１相当図である。
【図７】従来のセンタリング装置の作用を封止樹脂部を有していない液晶表示パネルの場合（ａ）と３つの封止樹脂部を有する液晶表示パネルの場合（ｂ）と２つの封止樹脂部を有する液晶表示パネルの場合（ｃ）との間で対比して模式的に示す図１相当図である。
【符号の説明】
【００３６】
１０  液晶表示パネル
１１  封止樹脂部
４０  センタリング装置
５１  ローラ（一側当接部）
５５  移動機構部（移動手段）
６１  ローラ（他側当接部）
６５  移動機構部（移動手段）
７４  圧縮コイルばね（他側押圧手段）
８０  エアシリンダ（押圧手段，固定手段）
８１  センサ（判別手段）
８２  コントローラ（制御手段）
【図１】
2005128321.tif 000003
【図２】
2005128321.tif 000004
【図３】
2005128321.tif 000005
【図４】
2005128321.tif 000006
【図５】
2005128321.tif 000007
【図６】
2005128321.tif 000008
【図７】
2005128321.tif 000009